(57)【特許請求の範囲】
【請求項１】
複数の半リング（１４）を長手方向に平行に起立させた固定板（１０）と、該固定板に廻動自在に取り付けられ、固定板の半リング（１４）と合致して一続きのリングを形成する複数の半リング（２０）を長手方向に平行に起立させた可動体（１２）とを組み合わせてなるプラスチック製のバインダー用具（１００）であって、
可動体（１２）が該可動体の下部に一体的に設けた凸部（５６）を有し、
固定板（１０）と可動体（１２）との間部分で、固定板によって拘束されつつ所定の長さ範囲を往復摺動する摺動板（４０）にして、可動体の凸部（５６）を係入させるようにした長溝（４８）にして、該長溝（４８）が、凸部（５６）を、各半リング（１４、２０）を合致させる位置に錠止するための錠止部（５０）と、各半リング（１４、２０）を開放させる位置に固定する開放部（５２）と、錠止部（５０）及び開放部（５２）間の移行部（５４）とを含んでいる長溝を有する摺動板を有し、
摺動板（４０）を往復摺動させ、可動体（１２）の凸部（５６）を摺動板の長溝（４８）に沿って移動させると同時に可動体を軸部（１８）を中心とする所定範囲を廻動させることにより各前記半リング（１４、２０）を開閉させるようにしたバインダー用具。
【請求項２】
摺動板（４０）の長溝（４８）が、長溝に沿って変化する勾配を有し、可動体（１２）の凸部（５６）の周囲側面と係合する溝壁（５８）と、凸部を可動体の軸部（１８）を中心として廻動させるように屈曲した平面形状とを有している請求項１記載のバインダー用具。
【請求項３】
摺動板（４０）が固定板（１０）よりも長い平板部（４４）を有し、往復摺動の各限界位置では何れか一方の端部（６４、６６）が固定板の長手方向縁部を越えて突出し、該突出部分が次ぎの往復動作を与えるための押し込み端部を構成する請求項１及び２の何れかに記載のバインダー用具。
【請求項４】
可動体（１２）の凸部（５６）が該可動体の中央下部に該可動体と一体的に設けられ、
摺動板（４０）の長溝（４８）が該摺動板の中央位置に設けられる請求項１〜３の何れかに記載のバインダー用具。
【発明の詳細な説明】
【０００１】
【発明の属する技術分野】
本発明は、固定側及び可動側の各半リングを合致させる形式のバインダー用具に関し、詳しくは、可動側の半リングをカム駆動によって開閉させるための構造に関する。
【０００２】
【従来の技術】
従来、固定側及び可動側の各部材に形成した各半リングを合致させる形式のバインダー用具では、閉鎖時には各半リングを合致させた後、例えば何れかの部材の端部に設けた錠止構造部分を操作して各半リングをこの合致状態に固定し、そしてバインダー用具を開く時には、先ずこの錠止構造部を開放し、次いで可動側部材を廻動させるといった最低２回の操作が必要となっている。
また、摺動部材により半リングを開閉させる形式のバインダー用具では、摺動部材の手前側に操作用の把手或は指掛けを設け、これを引っ張ることにより半リングを開放させ、半リングを閉じる時には把手を押し込むようにしている。しかしながら、把手は構造的に複雑であることから成形金型も複雑化し従ってその分、製造コストが上昇する。またそうした把手は、小型のバインダー用具では用紙綴じ部に接触しないようにするために手前側に突出させる必要があり、これがバインダー用具小型化の障害となる。
【０００３】
【発明が解決しようとする課題】
本発明は、上述したような押し引き式等の把手が無く、しかもワンアクションで開閉することのできる開閉機構を有するバインダー用具を提供することである。
【０００４】
【課題を解決するための手段】
本発明によれば、複数の半リング（１４）を長手方向に平行に起立させた固定板（１０）と、該固定板に廻動自在に取り付けられ、固定板の半リング（１４）と合致して一続きのリングを形成する複数の半リング（２０）を長手方向に平行に起立させた可動体（１２）とを組み合わせてなるプラスチック製のバインダー用具（１００）であって、
可動体（１２）が該可動体の下部に一体的に設けた凸部（５６）を有し、
固定板（１０）と可動体（１２）との間部分で、固定板によって拘束されつつ所定の長さ範囲を往復摺動する摺動板（４０）にして、可動体の凸部（５６）を係入させるようにした長溝（４８）にして、該長溝（４８）が、凸部（５６）を、各半リング（１４、２０）を合致させる位置に錠止するための錠止部（５０）と、各半リング（１４、２０）を開放させる位置に固定する開放部（５２）と、錠止部（５０）及び開放部（５２）間の移行部（５４）とを含んでいる長溝を有する摺動板を有し、
摺動板（４０）を往復摺動させ、可動体（１２）の凸部（５６）を摺動板の長溝（４８）に沿って移動させると同時に可動体を軸部（１８）を中心とする所定範囲を廻動させることにより各前記半リング（１４、２０）を開閉させるようにしたバインダー用具が提供される。
【０００５】
１実施例では摺動板（４０）の長溝（４８）が、長溝に沿って変化する勾配を有し可動体（１２）の凸部（５６）の周囲側面と係合する溝壁（５６）と、凸部を可動体の軸部（１８）を中心として廻動させるような略Ｓ字形に屈曲した平面形状とを有し、また、摺動板（４０）が固定板（１０）よりも長くされ、往復摺動の各限界位置では、何れか一方の端部（６４、６６）が固定板の縁部を越えて突出され、突出された側の端部が次ぎの往復動作を与えるための押し込み端部を構成する。
また更には長溝（４８）が、凸部（５６）を、各半リング（１４、２０）を合致させる位置に錠止するための錠止部（５０）と、各半リング（１４、２０）を開放させる位置に固定する開放部（５２）と、錠止部（５０）及び開放部（５２）間の移行部（５４）とを含み、凸部（５６）を可動体の中央下部に該可動体と一体的に設け、摺動板（４０）の長溝（４８）は該摺動板の中央位置に設けることができる。
【０００６】
【発明の実施の形態】
以下に、図１から図７を参照して本発明を詳しく説明する。
図１及び図２には本発明の第１実施例のバインダー用具を構成する３つの部材が示されている。これら３つの部材の内の２つは、図１に示す固定板１０と、図２に示す可動体１２とである。
固定板１０には複数の半リング１４が、その長手方向の一方側に一定間隔で平行に起立されている。各半リング１４の自由端部面１６には、可動体１２の軸部１８に同間隔で平行に起立された各半リング２０と合致した時に、これらの半リング２０のやはり自由端部面２２に形成した小凸部２４を受ける小穴２６が夫々形成されている。
【０００７】
固定板１０の、半リング１４を起立させた側部には、固定板１０の主平面２８に沿って開放横溝３０が形成される。そして主平面２８の、開放横溝３０と反対の側部の各端部位置には可動体１２の軸部１８の各端部３２、３４を夫々廻動自在に取り付けるための軸受３６、３８が突出する状態で形成される。
本発明のバインダー用具には更に、図１に示すような摺動板４０が含まれる。摺動板４０は、固定板１０の開放横溝３０に沿って摺動する狭幅の溝係合部分４２と、主平面２８上を往復摺動する幅広の平板部４４と、摺動板４０の摺動範囲を制限するための張り出し部４６とを含み、張り出し部４６の略中央位置には、以下に説明する可動体１２の凸部をカム駆動させるような、ここでは略Ｓ字形として示される平面屈曲形状を有する長溝４８が設けられる。
【０００８】
摺動板４０は、全体の長さｌ１ が固定板１０の全体長さｌ２ よりも長く、また張り出し部４６の長さｌ３ は、固定板１０の軸受３６、３８の内面間長さｌ４ よりも短く且つ長溝４８の端部間距離ｌ５ に相当する長さ分、或はそれ以上短くして形成される。こうすることにより摺動板４０は、少なくとも長溝４８の長さ分だけ主平面２８上で往復摺動することができるようになる。
一方、固定板１０の主平面２８の幅寸法ｌ８ と、軸受３６、３８の横断方向幅寸法ｌ９ とに関する、平板部４４の幅寸法ｌ６ と、張り出し部４６の幅寸法ｌ７ との幅寸法は、主平面２８上で摺動板４０が、軸受部３６、３８と開放横溝３０との一部分による軽い摩擦抵抗を受けつつ摺動するように選択し、バインダー用具１００を、例えば垂直に立てた場合でも摺動板４０が自重で下方に移動することがないようにしておく。
【０００９】
図２に部分的に示されるように、可動体１２の軸部１８の中央下部には、この長溝４８に係入する凸部５６が形成される。凸部５６は逆切頭円錐形状を有し、固定板１０に摺動板４０を載せ、可動体をその軸部１８を固定板１０の各端部３２、３４間に取り付けて固定板１０と組み合わせた時に、長溝４８に無理なく係入するような長さを有するような構成とする。
【００１０】
一方、図５に示すように、長溝４８の長手方向の各端部は、一方を張り出し部４６の側に接近させ、他方を張り出し部４６から離して位置付ける。これにより長溝４８は略Ｓ字形に屈曲した平面形状のものとなる。張り出し部４６側に接近する側の長溝４８の端部は、凸部５６を、可動体１２の半リング２０を固定板１０の半リング１４と合致させた状態のままで錠止するための錠止部５０を構成し、他方の端部は、半リング１４、２０を開放させる開放部５２を構成し、その間の部分は錠止部５０と開放部５２とを繋ぐ移行部５４を構成する。錠止部５０と開放部５２との横断方向の中心間距離ｌ１０は、凸部５６の廻動が半リング２０の上述したような動作をもたらすような長さに決定する。
【００１１】
長溝４８は本実施例では摺動板４０を貫いて形成され、張り出し部４６側の溝壁５８には、錠止部５０から移行部５４を経て開放部５２に進むに従い、長溝に沿って段階的に緩くなる勾配が配設される。溝壁５８のこの勾配は、凸部５６が長溝４８の錠止部５０から開放部５２にかけて案内されそれにより可動体１２の軸部１８を中心として廻動する際に、溝壁５８の、凸部５６（図６に仮想線で示す）の周囲部分と接する面積が最大となるように選択される。これにより摺動板１０の往復摺動運動を、凸部５６を廻動させるための力として効率的に変換することができるようになる。
【００１２】
長溝４８の開放部５２の位置では溝壁５８の勾配が最も緩くなるが、これにより可動体１２の側の各半リング２０は固定板１０の側の各半リング１４に対して最大限に開放される。半リング２０をこの状態のままに維持するために、溝壁５８に対向する溝壁６０は、この溝壁６０が凸部５６に対するストッパとして作用し、凸部５６をそれ以上廻動させないような位置に位置決めされる。
本実施例のように摺動板４０を貫いて長溝４８を形成し、また凸部５６が長溝を貫く長さを有するものとする場合は、固定板１０の相当する位置に横断方向溝６２を形成し、凸部５６の廻動に支障を来さないようにすることもできる。
【００１３】
図７には本発明の前記実施例での摺動板４０の摺動状況と、摺動板１０の摺動に関連する可動体１２の軸部１８に設けた凸部５６のカム駆動状況が平面的に示されている。図７では摺動板４０は、可動体１２の軸部１８に起立させた半リング２０を固定板１０の側に設けた半リング１４と合致させた、つまりファイル或は紙片を綴じ込み或は保管するための位置において実線で示されている。
【００１４】
図７に実線で示す位置から摺動板４０を、その端部６４を介して矢印ａの方向に向けて点線の位置まで押し込むと、反対側の端部６６が押し込んだ長さ分だけ押し出され、長溝４８は点線で示す位置に移動する。この時、最初は長溝４８の錠止部５０にあった凸部５６は、長溝４８の屈曲形状に沿って案内されて矢印ｂのように横断方向に移動し、移行部５４を経て結局、開放部５２に入り込む。
凸部５６は、開放部５２に入ると、前述の如く溝壁５８の勾配が最も緩くなるのに伴いその下端部６８が図６に示すように持ち上がるが、その直後に、ストッパとして作用する溝壁６０に当接するためにそれ以上は廻動しない。凸部５６が矢印ｂの方向に移動することにより結局、軸部１８が矢印ｃのように廻動されるので、可動体１２側の半リング２０は固定板１０側の半リング１４に対して一定範囲に開放された状態となる。
【００１５】
長溝４８の錠止部５０及び開放部５２或はその一方に、凸部５６を弾発的に係入させるための構造部分を形成することにより開閉動作に節度感を与えることができる。そうした弾発係入のための構造部分は固定板１０の好適な位置に形成することもできる。
また、図８に示す別態様の摺動板１４０のように、その各端部（図８では一方側の端部１６６のみが示される）の一部分を、綴じ込み用紙等と干渉しない範囲で且つそれらの綴じ込み用紙よりも外側に延出するような突出部７０として形成することにより、バインダー用具１００自体の長さを越える用紙等も綴じ込むことができるようになる。
【００１６】
【発明の効果】
本発明のバインダー用具によれば、押し引き式等の把手を必要とせず、しかも小型の、ワンアクションで開閉することのできる開閉機構を有するバインダー用具が提供される。
また本発明のバインダー用具は構造が単純であり、従来の同等品よりも製造コストが安価である。
【図面の簡単な説明】
【図１】本発明のバインダー用具の固定板及び摺動板の分解斜視図である。
【図２】本発明のバインダー用具の可動体の斜視図である。
【図３】固定板側及び可動体側の各半リングを閉じた状態を示すバインダー用具の断面図である。
【図４】固定板側及び可動体側の各半リングを開いた状態を示すバインダー用具の断面図である。
【図５】摺動板の長溝の部分平面図である。
【図６】図６の長溝の線Ａ−Ａに沿った断面図である。
【図７】固定板側及び可動体側の各半リングを開いた状態での、バインダー用具の部分破除した平面断面図である。
【図８】本発明のバインダー用具の別態様における部分平面図である。
【符号の説明】
１０  固定板
１２  可動体
１４、２０  半リング
１６、２２  自由端部面
１８  軸部
２４  小凸部
２６  小穴
２８  主平面
３０  開放横溝
３６、３８  軸受
４０  摺動板
４２  溝係合部分
４４  平板部
４６  張り出し部
４８  長溝
５０  錠止部
５２  開放部
５４  移行部
５６  凸部
５８、６０  溝壁
６２  横断方向溝
６４、６６  端部
６８  下端部
７０  突出部
【図１】
0003642936.tif 000002
【図２】
0003642936.tif 000003
【図３】
0003642936.tif 000004
【図４】
0003642936.tif 000005
【図５】
0003642936.tif 000006
【図６】
0003642936.tif 000007
【図７】
0003642936.tif 000008
【図８】
0003642936.tif 000009